(57)【特許請求の範囲】
【請求項１】
電話回線と固定電話機とに接続される安否確認装置であって、
人体を検知する検知手段と、
前記固定電話機を発呼する発呼手段と、
通報先電話番号を記憶する記憶手段と、
前記固定電話機の受話器が上げられて前記固定電話機がオフフック状態であるか否かを判断する判断手段と、
前記記憶手段に記憶されている前記通報先電話番号を有する電話機に前記電話回線を経由して通報を行う通報手段と、
前記検知手段により、所定の計測時間の間、人体検知がされない場合に、前記判断手段により前記固定電話機が前記オフフック状態になっているか否かを判断させ、前記固定電話機が前記オフフック状態になっている場合には、前記通報手段に前記通報を行わせ、前記固定電話機が前記オフフック状態になっていない場合には、前記発呼手段により前記固定電話機を第１の呼出時間の間発呼させて、その第１の呼出時間の間に検知手段が人体検知をしない場合に前記通報手段に前記通報を行わせるように制御する制御手段と、を備え、
前記検知手段は、所定の高さよりも低い位置の検知を行わないように構成されていることを特徴とする安否確認装置。
【請求項２】
前記検知手段は、検知波が入力されることにより人体を検知し、
前記検知手段よりも低い位置からの検知波の入力を遮蔽する遮蔽手段を備えていることを特徴とする請求項１に記載の安否確認装置。
【請求項３】
前記遮蔽手段は、前記検知手段の略下半周の表面を覆うカバー部材を備えることを特徴とする請求項２に記載の安否確認装置。
【請求項４】
前記遮蔽手段は、その遮蔽位置を上下方向に調整する位置調整機構を備えることを特徴とする請求項２に記載の安否確認装置。
【請求項５】
前記検知手段を複数備えていることを特徴とする請求項１〜４の何れか一項に記載の安否確認装置。
【請求項６】
入力指示を受け付ける入力手段を備え、
前記制御手段は、前記入力手段により入力指示があった場合に、前記通報手段に前記通報を行わせることを特徴とする請求項１〜５の何れか一項に記載の安否確認装置。
【請求項７】
留守番モードへの切替指示を受け付ける切替手段を備え、
前記制御手段は、前記切替手段により留守番モードへの切替指示がされた時から所定の待ち時間経過後に前記検知手段に人体検知を開始させ、その開始後に人体検知がされた場合において、前記固定電話機に対して前記発呼手段により第２呼出時間の間発呼させ、前記第２呼出時間が経過した場合に、前記通報手段に前記通報を行わせることを特徴とする請求項１〜６の何れか一項に記載の安否確認装置。
【請求項８】
前記電話回線に供給されている電源ラインから給電を受けて前記安否確認装置が駆動されていることを特徴とする請求項１〜７の何れか一項に記載の安否確認装置。
【発明の詳細な説明】
【技術分野】
【０００１】
本発明は、一人暮らし高齢者などの住人の安否を確認するための装置に関する。
【背景技術】
【０００２】
近年、一人暮らし高齢者の安否を確認する種々の装置が開発されている。例えば特許文献１には、電話回線と固定電話機とに接続され、所定時間に渡って人体センサが人体を検知しなかった場合に、装置の周辺に対して通報の予告を行い、その後、所定の通信端末へ通報する安否確認装置が開示されている。
【先行技術文献】
【特許文献】
【０００３】
【特許文献１】特開２００６−４８２２４号公報
【発明の概要】
【発明が解決しようとする課題】
【０００４】
しかしながら、例えば、猫等の小動物が飼育されている部屋で上記した安否確認装置を稼働させた場合には、安否確認装置の人体センサが、猫等の小動物を誤検知してしまうため、住人の安否の確認の精度を向上させることができないという問題があった。
【０００５】
本発明の課題は、住人の安否の確認の精度を向上させることができるようにすることである。
【課題を解決するための手段】
【０００６】
本発明は、
電話回線と固定電話機とに接続される安否確認装置であって、
人体を検知する検知手段と、
前記固定電話機を発呼する発呼手段と、
通報先電話番号を記憶する記憶手段と、
前記固定電話機の受話器が上げられて前記固定電話機がオフフック状態であるか否かを判断する判断手段と、
前記記憶手段に記憶されている前記通報先電話番号を有する電話機に前記電話回線を経由して通報を行う通報手段と、
前記検知手段により、所定の計測時間の間、人体検知がされない場合に、前記判断手段により前記固定電話機が前記オフフック状態になっているか否かを判断させ、前記固定電話機が前記オフフック状態になっている場合には、前記通報手段に前記通報を行わせ、前記固定電話機が前記オフフック状態になっていない場合には、前記発呼手段により前記固定電話機を第１の呼出時間の間発呼させて、その第１の呼出時間の間に前記検知手段が人体検知をしない場合に前記通報手段に前記通報を行わせるように制御する制御手段と、を備え、
前記検知手段は、所定の高さよりも低い位置の検知を行わないように構成されていることを特徴とする。
【発明の効果】
【０００７】
本発明によれば、住人の安否の確認の精度を向上させることができる。
【図面の簡単な説明】
【０００８】
【図１】（Ａ）は本発明の実施形態に係る安否確認装置の外観構成例を示す斜視図であり、（Ｂ）は（Ａ）のＢ−Ｂ線の概略部分断面図である。
【図２】安否確認装置の機能構成を示すブロック図である。
【図３】安否確認装置の設置の概略を示す図である。
【図４】安否確認モード処理のフローチャートである。
【図５】登録通報先への通報処理のフローチャートである。
【図６】留守番モード処理のフローチャートである。
【図７】変形例１に係る、人感センサ設置構造を示す図である。
【図８】変形例２に係る、人感センサ設置構造を示す図である。
【図９】変形例３に係る、人感センサ設置構造を示す図である。
【発明を実施するための形態】
【０００９】
以下、本発明の実施の形態を図面に基づいて説明する。
【００１０】
図１に示す安否確認装置１は、住居の居間等に設置して、一人暮らし高齢者などの住人の安否を確認する装置である。
【００１１】
図１（Ａ）に示すように、安否確認装置１は、略直方体状の装置外装部１０を備え、装置外装部１０は、その正面（前側）と、右側面と、左側面とに人感センサ１２を備える。また、正面には、検知表示部１７と、検知モード表示部１８とを、右側面には、検知モード切替ＳＷ１４を備え、上面（上側）には、緊急ボタン１５と、スピーカ部２３と、固定電話機３２の載置部１１０とを備え、底面には、計測時間設定ＳＷ１６（図２参照）と、モード切替ＳＷ１３（図２参照）とを備える。
【００１２】
図１（Ｂ）に示すように、検知手段としての人感センサ１２は、装置外装部１０内に設けられた収容部１０Ａに収容される。人感センサ１２は、例えば、焦電型赤外線センサ本体１２Ａとレンズ１２Ｂとで構成される。焦電型赤外線センサは、検知波としての赤外線が入力されることに基づき人体を検知する。
装置外装部１０の正面に設けられた人感センサ１２のレンズ１２Ｂの光軸ＡＡは、装置外装部１０の正面と垂直、かつ、底面と平行になっている。また、収容部１０Ａの出口には、人感センサ１２の略下側半分を遮蔽する遮蔽手段としてのマスク部材１２１が設けられている。マスク部材１２１により、人感センサ１２の視野角特性は、例えば、水平から上側のみに制限され、その制限後の視野角はαである。また、上下方向に沿った長軸を有する長孔１２１Ａと固定ネジ１２２Ａとで構成される位置調整機構１２２により、マスク部材１２１は、上下方向に位置調整可能とされ、人感センサ１２の視野角特性を調節できるようになっている。これにより、人感センサ１２が所定の高さよりも低い位置の検知を行わないように構成することができる。ここで、「所定の高さ」とは、小動物等の誤検知が防げる程度の高さであれば良い。なお、装置外装部１０の右側面、左側面に設けられている人感センサ１２も同様の構成である。
【００１３】
次に、図２に示すように、安否確認装置１は、ＲＡＭ１１１およびＲＯＭ１１２を含んで構成されて機器の全体的な制御を行う制御部１１と、人感センサ１２と、モード切替ＳＷ１３と、検知モード切替スイッチ１４と、緊急ボタン１５と、計測時間設定ＳＷ１６と、検知表示部１７と、検知モード表示部１８と、ラインＩＦ部１９と、オートダイアラ２０と、音声出力部２１と、リンガ信号生成部２２と、スピーカ部２３と、電源部２４と、ＥＰＲＯＭ２７と、を備える。それらの機能構成要素は、バス２８を介して接続されている。
【００１４】
モード切替ＳＷ１３は、安否確認装置１の動作を、検知モード、電話番号登録モード、電話番号読み上げモード、の何れかに切替えるスイッチである。
【００１５】
検知モード切替ＳＷ１４は、検知モードを、住人の安否を確認する安否確認モード、または、住人が外出等をした際における留守宅の部屋Ｌへの侵入者の検知を行う留守番モード、のいずれかのモードに切替えるためのスイッチである。検知モード切替ＳＷ１４は、留守番モードへの切替指示を受け付ける切替手段として機能する。
【００１６】
緊急ボタン１５は、安否確認装置１を緊急時の通報を行う緊急モードに移行させるためのボタンである。緊急ボタン１５は、入力指示を受け付ける入力手段として機能する。
【００１７】
計測時間設定ＳＷ１６は、安否確認モードでの人感センサ１２の所定の計測時間を設定するスイッチである。所定の計測時間は、例えば、６、８、１２、１６、２４、４８時間の中から選択される。
【００１８】
検知表示部１７は、例えばＬＥＤで構成される。検知表示部１７は、人感センサ１２による検知があった場合に赤色点灯する。また、後述する固定電話機への発呼中、および、通報先への通報中は赤色点滅する。
【００１９】
検知モード表示部１８は、例えばＬＥＤで構成される。検知モード表示部１８は、安否確認モードでは緑色点灯、留守番モードでは赤色点灯または赤色点滅する。
【００２０】
判断手段としてのラインＩＦ部１９は、固定電話機３２と電話回線（一般公衆回線）３１との間の信号を検出し、固定電話機３２の受話器が上げられてオフフック状態であるか否かを判断する。
具体的には、ラインＩＦ部１９は、受話器の台に受話器が戻され回線が切断されている状態を、オンフック状態として検出する。また、回線が接続され、通話中・ダイヤル中、等の状態である場合に、オフフック状態として検出する。
また、ラインＩＦ部１９は、固定電話機３２と電話回線（一般公衆回線）３１との接続・切断を制御部１１の制御の下で行う。
【００２１】
オートダイアラ２０は、安否確認モード、留守番モード、緊急モードにおける通報先電話機への通報において、登録通報先電話番号に対応するＤＴＭＦ（Dual-Tone Multi-Frequency）音を組み合わせてＰＢ信号を作成し、電話回線（一般公衆回線）３１に送出する。
【００２２】
音声出力部２１は、安否確認モード、留守番モード、緊急モードにおける通報先電話機への通報のための音声信号を出力する。また、留守番モードにおける固定電話機３２での報知のための音声信号を出力する。
【００２３】
発呼手段としてのリンガ信号生成部２２は、固定電話機３２を発呼するためのリンガ信号を生成する。
【００２４】
スピーカ部２３は、登録通報先への通報処理の際、登録通報先に対応するＰＢ信号を音波に変換する。
【００２５】
電源部２４は、電話回線（一般公衆回線）３１に供給されている電源ラインから給電を受ける。電話回線（一般公衆回線）３１の端子Ｔ１、Ｔ２（図３参照）には局側交換機の電圧源から、４８Ｖの直流電圧が供給されている。この直流電圧を電源ラインとして、電源部２４は、給電を受ける。この直流電圧は、商用交流電源とは独立に供給され、商用交流電源が停電のときにも供給される。
【００２６】
記憶手段としてのＥＰＲＯＭ２７は、不揮発性メモリであり、通報先電話番号が記憶される。
【００２７】
制御部１１は、ＲＯＭ１１２に記憶されている処理プログラムを読み出しＲＡＭ１１１のワークエリアに展開し、処理プログラムとの協働で後述する各種処理を実行する。
【００２８】
制御部１１は、オートダイアラ２０および音声出力部２１により、記憶手段としてのＥＰＲＯＭ２７に記憶されている通報先電話番号を有する電話機に電話回線を経由して通報を行う通報手段として機能する。
制御部１１は、人感センサ１２により、所定の計測時間の間、人体検知がされない場合に、ラインＩＦ部１９により固定電話機３２がオフフック状態になっているか否かを判断させ、固定電話機３２がオフフック状態になっている場合には、通報手段に通報を行わせる、制御手段として機能する。
制御手段としての制御部１１は、固定電話機３２がオフフック状態になっていない場合には、リンガ信号生成部２２により固定電話機３２を第１の呼出時間の間発呼させ、その第１の呼出時間の間に人感センサ１２が人体検知をしない場合に通報手段に通報を行わせる。
【００２９】
制御手段としての制御部１１は、緊急ボタン１５により入力指示があった場合に、通報手段に通報を行わせる。
【００３０】
また、制御手段としての制御部１１は、検知モード切替ＳＷ１４による留守番モードへの切替指示がされた時から所定の待ち時間（例えば５分間）経過後に人感センサ１２に人体検知を開始させ、その開始後に人体検知がされた場合において、固定電話機３２に対してリンガ信号生成部２２により第２の呼出時間の間発呼させ、第２呼出時間が経過した場合には、通報手段に通報を行わせる。
【００３１】
次に、図３を参照して安否確認装置１の設置について説明する。安否確認装置１は、例えば、住宅Ｊの部屋Ｌに、その装置１の底面を部屋Ｌの床面Ｆと略平行となるように、かつ、その人感センサ１２の床面Ｆからの高さが所定高さｈとなるよう、スタンドＳ等の上に設置される。所定高さｈとは、例えば、住人Ｈ１の起立時の腰の高さである。安否確認装置１は、その背面に設けられている電話回線接続端子部２５、電話機接続端子部２６を介して、それぞれ、電話回線（一般公衆回線）３１、固定電話機３２と接続される。
【００３２】
人感センサ１２は、図１（Ｂ）にて説明したように、マスク部材１２１により、人感センサ１２の視野角特性は、例えば、水平から上側のみに制限され、その制限後の視野角はαであるので垂直方向の検知範囲は、所定高さ（ｈ）から上側の領域Ａに限定され、その下の領域Ｂは検知されない。すなわち、人感センサ１２よりも低い位置からの検知波の入力を遮蔽する遮蔽手段としてのマスク部材１２１を備えている。また、前述の位置調整機構１２２により領域Ａ、Ｂの範囲を調整することができる。
【００３３】
安否確認装置１は、所定の計測時間の間、人感センサ１２による人体検知がされなかった場合に、異常であると判断するものであるが、人体検知が無くても、領域Ｂで生活する猫Ｃ等の小動物を検知すると、異常であると判断できなくなってしまう。本安否確認装置１は、起立した住人Ｈ１を領域Ａで検知できる一方、領域Ｂにおける小動物、また、倒れている住人は検知されないよう構成されており、住人の安否の確認の精度を向上させることができる。
【００３４】
また、装置外装部１０の前面、右側面、左側面に人感センサ１２を有しているので、装置外装部１０の背面（後側）を部屋Ｌの壁側に向けることで、安否確認装置１の人感センサ１２は、居間等の水平方向におけるほぼ全ての方向を検知することができる。
【００３５】
次に、本実施形態に係る安否確認装置１の動作について説明する。先ず、図４を参照して、安否確認モード処理を説明する。
先ず、制御部１１は、検知モード切替ＳＷ１４が安否確認モードに切替わると、検知モードを安否確認モードに設定する（ステップＳ１）。そして、検知モード表示部１８を緑色点灯させる（ステップＳ２）。
【００３６】
次に、制御部１１は、計測時間を計時するタイマーをリセットする（ステップＳ３）。次に、制御部１１は、緊急ボタン１５が押下されているか否か判断し（ステップＳ４）、緊急ボタン１５が押下されていると判断すると（ステップＳ４；ＹＥＳ）、緊急モードに移行し（ステップＳ５）、緊急ボタン１５が押下されていないと判断すると（ステップＳ４；ＮＯ）、ステップＳ６に移行する。
【００３７】
次に、制御部１１は、検知モード切替ＳＷ１４が安否確認モードであるか否か判断し（ステップＳ６）、安否確認モードではないと判断すると（ステップＳ６；ＮＯ）、留守番モード処理に移行し（ステップＳ７）、安否確認モードであると判断すると（ステップＳ６；ＹＥＳ）、ステップＳ８に移行する。
【００３８】
次に、制御部１１は、人感センサ１２が、人体検知したか否か判断する（ステップＳ８）。人感センサ１２が、人体検知したと判断すると（ステップＳ８；ＹＥＳ）、ステップＳ３に戻る。一方、人感センサ１２が、人体検知していないと判断すると（ステップＳ８；ＮＯ）、ステップＳ９に移行して現在が設定された計測時間内か否か判断し、現在が設定された計測時間内であると判断すると（ステップＳ９；ＹＥＳ）、ステップＳ４に戻る。一方、現在が設定された計測時間内ではないと判断すると（ステップＳ９；ＮＯ）、ステップＳ１０に移行する。
【００３９】
次に、制御部１１は、固定電話機３２の受話器が上げられてオフフック状態になっているか否か判断する（ステップＳ１０）。固定電話機３２の受話器が上げられてオフフック状態になっていると判断すると（ステップＳ１０；ＹＥＳ）、ステップＳ１６に移行する。一方、固定電話機３２がオフフック状態になっていないと判断すると（ステップＳ１０；ＮＯ）、ステップＳ１１に移行する。このステップＳ１０における分岐は、以下の理由で設けられている。固定電話機３２の受話器が上げられてオフフック状態になっていると、固定電話機３２を発呼することはできない。そこで、固定電話機３２がオフフック状態であるか否かによって、その後の処理を異ならせている。
【００４０】
ステップＳ１１では、制御部１１は、発呼手段としてのリンガ信号生成部２２により、安否確認装置１に接続されている固定電話機３２を発呼する（ステップＳ１１）。
【００４１】
次に、制御部１１は、人感センサ１２が人体検知したか否か判断する（ステップＳ１２）。人感センサ１２が人体検知したと判断すると（ステップＳ１２；ＹＥＳ）、発呼を終了し（ステップＳ１３）、ステップＳ３に移行する。人感センサ１２が人体検知していないと判断すると（ステップＳ１２；ＮＯ）、発呼開始から第１呼出時間（例えば６０秒）経過したか否か判断する（ステップＳ１４）。発呼開始から第１呼出時間（例えば６０秒）経過していないと判断すると（ステップＳ１４；ＮＯ）、ステップＳ１２に戻る。発呼開始から第１呼出時間（例えば６０秒）経過したと判断すると（ステップＳ１４；ＹＥＳ）、ステップＳ１５に移行する。
【００４２】
次に、制御部１１は、固定電話機３２への発呼を終了し（ステップＳ１５）、登録通報先への通報処理を行う（ステップＳ１６）。そして、ステップＳ１２に移行する。
【００４３】
次に、登録通報先への通報処理について、図５を参照して説明する。
【００４４】
先ず、制御部１１は、スピーカ部２３を作動させる（ステップＳ２１）。次に、制御部１１は、以下のパラメータを初期値に設定する（ステップＳ２２）。パラメータは、ｎ：通報先件数、ｉ：通報先の順位、ｊ（ｉ）：通報終了フラグ（ｊ（ｉ）＝０：未終了、ｊ（ｉ）＝１：終了）、ｋ：リトライ回数メモリ、であり、これらの値を、ｎ＝４、ｉ＝０、ｊ（ｉ）＝０（すべてのｉについて）、ｋ＝０と初期設定する。
【００４５】
次に、制御部１１は、ｉの値を１増加させ、ｉ＝１とする（ステップＳ２３）。
【００４６】
次に、制御部１１は、ｊ（ｉ）の値が０であるか否かを判断する（ステップＳ２４）。ｊ（ｉ）＝０であると判断すると（ステップＳ２４；ＹＥＳ）、ｉ番目の電話番号に係る通報先をオートダイアラ２０により呼び出す（ステップＳ２５）。一方、ｊ（ｉ）＝０ではないと判断すると（ステップＳ２４；ＮＯ）、ステップＳ３１に移行する。
【００４７】
次に、制御部１１は、通報先の電話器が接続されたか否か判断する（ステップＳ２６）。通報先の電話器が接続されたと判断すると（ステップＳ２６；ＹＥＳ）、安否確認モード／緊急モード／留守番モードに応じた内容を音声出力部２１により音声信号で通報する（ステップＳ２７）。安否確認モードの場合には、例えば、「発信元のセンサに一定時間、人体検知がありませんでした。ご確認ください。」という内容を音声信号で通報する。留守番電話の場合は、通報先の電話器が接続されたとして扱う。
【００４８】
次に、制御部１１は、ステップＳ２８にてｊ（１）＝１と設定する。すなわち、１番目（ｉ＝１）の通報先の通報終了フラグを終了と設定する。
【００４９】
一方、制御部１１は、ステップＳ２６にて通報先の電話が接続されていないと判断すると（ステップＳ２６；ＮＯ）、所定時間（１分）経過したか否かを判断し（ステップＳ２９）、所定時間（１分）経過していないと判断すると（ステップＳ２９；ＮＯ）、ステップＳ２６に戻り、所定時間（１分）経過したと判断すると（ステップＳ２９；ＹＥＳ）、ステップＳ３０にてｊ（１）＝０と設定する。
【００５０】
次に、制御部１１は、ｉ＜ｎであるか否かを判断する（ステップＳ３１）。ｉ＜ｎであると判断すると（ステップＳ３１；ＹＥＳ）、ステップＳ２３に戻り、ｉの値を１増加させ（ｉ＝２となる）、２番目の通報先に対して、ステップＳ２３〜ステップＳ３０の処理を順次実行する。このステップＳ２３〜ステップＳ３０の処理を、ステップＳ３１にてｉ＜ｎではないと判断するまで繰り返す。
【００５１】
次に、制御部１１は、ステップＳ３１にてｉ＜ｎではないと判断すると（ステップＳ３１；ＮＯ）、ステップＳ３２に移行する。
【００５２】
ステップＳ３２にて制御部１１は、ｊ（ｉ）＝０を有するｉがあるか否か、すなわち、未通報先があるか否かを判断し、ｊ（ｉ）＝０を有するｉがあると判断すると（ステップＳ３２；ＹＥＳ）、ｋの値を１増加するとともにｉ＝０と設定して（ステップＳ３３）、ｋ＜４であるか否か（すなわち、リトライ回数が５回未満であるか否か）を判断する（ステップＳ３４）。
【００５３】
次に、制御部１１は、ｋ＜４である、すなわち、リトライ回数が５回未満であると判断すると（ステップＳ３４；ＹＥＳ）、ステップＳ２３に戻り、ｋ＝４（リトライ回数が５回）となるまで、ステップＳ２３〜ステップＳ３３の処理を実行する。
【００５４】
次に、制御部１１は、ステップＳ３４にて、ｋ＜４ではないと判断すると（ステップＳ３４；ＮＯ）、ステップＳ３５に移行する。
【００５５】
また、ステップＳ３２にて、ｊ（ｉ）＝０を有するｉがないと判断すると（ステップＳ３２；ＮＯ）、ステップＳ３５に移行する。
【００５６】
ステップＳ３５にて、制御部１１は、スピーカ部２３の作動を停止させ、通報処理を終了する。
【００５７】
次に、緊急モード処理について、説明する。緊急モード処理は、図４のステップＳ４において緊急ボタンが押下されたと判断されると開始される。
【００５８】
制御部１１は、図４のステップＳ４にて緊急ボタンが押下されたと判断されると、登録通報先への通報処理を行う。
【００５９】
登録通報先への通報処理は、図５にて説明した通りであるので相違点のみ説明する。緊急モードでも、図５のステップＳ２１にて、スピーカ部２３が作動される。スピーカ部２３が作動されているので、通報先に対応するＰＢ信号はスピーカ部２３から音波として出力されており、緊急ボタン１５を押下した住人は、そのＰＢ信号を聞くことができ、通報されていることを認識する。
【００６０】
また、緊急モードでは、図５のステップＳ２８にて、「発信元より緊急呼び出しが入りました。速やかに対応してください。」という内容が音声信号により通報される。
【００６１】
次に、留守番モード処理について、図６を参照して説明する。留守番モード処理は、図４にて説明したように、検知モード切替ＳＷ１４が留守番モードに切替えられた場合に行われる処理である。
【００６２】
先ず、制御部１１は、留守番モード予告の表示を行う（ステップＳ５１）。具体的には、検知モード表示部１８を赤色点滅させる。
【００６３】
次に、制御部１１は、ステップＳ５２にて、検知モード切替ＳＷ１４により安否確認モードへの切替指示があるか否か判断し、安否確認モードへの切替指示が有ると判断すると（ステップＳ５２；ＹＥＳ）、本処理を終了し、安否確認モードへの切替指示が無いと判断すると（ステップＳ５２；ＮＯ）、ステップＳ５３に移行し、留守番モード処理が開始されて所定の待ち時間（例えば５分間）経過したか否か判断する（ステップＳ５３）。所定の待ち時間（例えば５分間）経過したと判断すると（ステップＳ５３；ＹＥＳ）、ステップＳ６４に移行し、所定の待ち時間（例えば５分間）経過していないと判断すると（ステップＳ５３；ＮＯ）、ステップＳ５２に移行する。
【００６４】
次に、制御部１１は、留守番モードでの検知を開始する（ステップＳ５４）。すなわち、人感センサ１２による検知を開始する。同時に検知モード表示部１８を赤色点滅から赤色点灯に変化させる。
【００６５】
次に、制御部１１は、人感センサ１２が人体検知したか否か判断し（ステップＳ５５）、人感センサ１２が人体検知していないと判断すると（ステップＳ５５；ＮＯ）、ステップＳ５５に戻り検知を継続し、人感センサ１２が人体検知したと判断すると（ステップＳ５５；ＹＥＳ）、検知モード表示部１８を赤色点滅から赤色点灯に変化させ（ステップＳ５６）、固定電話機３２を発呼する（ステップＳ５７）。
【００６６】
ここで、固定電話機３２を発呼するステップ（ステップＳ５７）からステップＳ６３までのステップは、住人が帰宅した場合に留守番モードを終了するために設けられているステップである。
【００６７】
次に、制御部１１は、安否確認モードへの切替指示が有るか否か判断して（ステップＳ５８）、安否確認モードへの切替指示があると判断すると（ステップＳ５８；ＹＥＳ）、本処理を終了する。
【００６８】
一方、ステップＳ５８にて、制御部１１は、安否確認モードへの切替指示がないと判断すると（ステップＳ５８；ＮＯ）、固定電話機３２の受話器が上げられたか（オフフック状態となっているか）否か判断し（ステップＳ５９）、固定電話機３２の受話器が上げられたと判断すると（ステップＳ５９；ＹＥＳ）、固定電話機３２への発呼を終了し（ステップＳ６０）、「留守番設定から通常設定に切替えてください。」という内容の報知を３回行い（ステップＳ６１）、安否確認モードへの切替指示が有るか否か判断して（ステップＳ６２）、安否確認モードへの切替指示があると判断すると（ステップＳ６２；ＹＥＳ）、本処理を終了する。
【００６９】
ステップＳ６２にて、制御部１１は、安否確認モードへの切替指示がないと判断すると（ステップＳ６２；ＮＯ）、ステップＳ６１での報知後、所定の経過時間（例えば２分間）経過したか否か判断し（ステップＳ６３）、ステップＳ６１の報知後、所定の経過時間経過していないと判断すると（ステップＳ６３；ＮＯ）、ステップＳ６２に戻る。
【００７０】
一方、制御部１１は、ステップＳ５９において、固定電話機３２の受話器が上げられていないと判断すると（ステップＳ５９；ＹＥＳ）、固定電話機３２への発呼（ステップＳ５７）後、第２呼出時間（例えば５分間）が経過したか否か判断し（ステップＳ６４）、第２呼出時間が経過していないと判断すると（ステップＳ６４；ＮＯ）、ステップＳ５７に戻り、第２呼出時間が経過したと判断すると（ステップＳ６４；ＹＥＳ）、発呼を終了する（ステップＳ６５）。
【００７１】
次に、制御部１１は、ステップＳ６３において、ステップＳ６１の報知後所定の経過時間（例えば２分間）経過したと判断した場合（ステップＳ６３；ＹＥＳ）、あるいは、ステップＳ６５が実行された場合、登録通報先への通報処理を行う（ステップＳ６６）。
【００７２】
登録通報先への通報処理は、通報内容が異なる点を除き、図５に示す処理と同様である。留守番モードにおいては、例えば「留守モード中の人感センサに反応がありました。ご確認ください。」という内容が音声信号により通報される。
【００７３】
［変形例１］
図７を参照して、変形例１に係る、人感センサ設置構造を説明する。変形例１では、人感センサ１２は、装置外装部１０（正面１０）に対する垂直方向から角度αだけ上側に傾けられて保持されるため、水平から上側方向に視野角２αを有する。したがって、人感センサ１２は、人感センサ１２よりも低い位置の検知を行わないように構成されている。このような設置構造により、実施形態と同様、図３で説明した領域Ｂを検知範囲外とすることができる。
【００７４】
［変形例２］
図８を参照して、変形例２に係る、人感センサ設置構造を説明する。
変形例２において、装置外装部１０の正面に設けられた人感センサ１２のレンズ１２Ｂの光軸ＡＡは、装置外装部１０の正面と垂直、かつ、底面と平行になっている。人感センサ１２は視野角２αを有するが、人感センサ１２にはそのセンサの略下半周の表面を覆うカバー部材１２３が装着され、その視野角は、水平から上側方向に視野角αに制限されている。このような構造により、実施形態と同様、図３で説明した領域Ｂを検知範囲外とすることができる。ここで、人感センサ１２の略下半周を覆うカバー部材１２３は、遮蔽手段として機能する。
【００７５】
［変形例３］
図９を参照して、変形例３に係る、人感センサ設置構造を説明する。変形例３の人感センサ設置構造は概ね図１（Ｂ）に示す実施形態の設置構造と同じようにレンズ１２Ｂが収容部１０Ｂに収容されているが、遮蔽手段としての、レンズ１２Ｂの下側半分を覆う部材が装置外装部１０と独立したマスク部材ではなく、装置外装部１０の部材と一体成形されている。装置外装部１０への人感センサ設置構造をこのように構成することで、実施形態と同様、図３で説明した領域Ｂを検知範囲外とすることができる。
【００７６】
以上のように、本実施形態に係る安否確認装置１は、電話回線（一般公衆回線）３１と固定電話機３２とに接続される安否確認装置１であって、人体を検知する人感センサ１２と、固定電話機３２を発呼するリンガ信号生成部２２と、通報先電話番号を記憶するＥＰＲＯＭ２７と、固定電話機３２の受話器が上げられて固定電話機３２がオフフック状態であるか否かを識別するラインＩＦ部１９と、ＥＰＲＯＭ２７に記憶されている通報先電話番号を有する電話機に電話回線（一般公衆回線）３１を経由して通報を行う通報手段としての制御部１１、オートダイアラ２０および音声出力部２１、とを備え、制御手段としての制御部１１は、人感センサ１２により、所定の計測時間の間、人体検知がされない場合に、ラインＩＦ部１９により固定電話機がオフフック状態になっているか否かを判断させ、固定電話機３２がオフフック状態になっている場合には、通報手段に通報を行わせ、制御部１１は、固定電話機３２がオフフック状態になっていない場合には、リンガ信号生成部２２により固定電話機３２を第１の呼出時間の間発呼させて、その第１の呼出時間の間に人感センサ１２が人体検知をしない場合に、通報手段により通報を行わせ、
また、人感センサ１２は、検知波が入力されることにより人体を検知し、人感センサ１２はその人感センサ１２よりも低い位置からの検知波の入力を遮蔽する遮蔽手段１２１、１２３、１０を備えている。
これにより、人感センサ１２は、小動物等を検知しないように構成されており、安否確認装置１による住人の安否の確認の精度を向上することができる。
【００７７】
また、遮蔽手段１２３は、人感センサ１２の略下半周の表面を覆うカバー部材を備える。
これにより、人感センサ１２はその人感センサ１２よりも低い位置での検知が制限されるため、人感センサ１２は、小動物等を検知しないように構成されており、安否確認装置１による住人の安否の確認の精度を向上することができる。
また、遮蔽手段１２１は、その遮蔽手段の位置を上下方向に調整する位置調整機構１２２を備える。
これにより、遮蔽手段の位置を調整することで、検知波の入力を遮蔽する上下方向の位置を調整することができ、安否確認装置１による住人の安否の確認の精度を向上することができる。
【００７８】
また、安否確認装置１は人感センサ１２を複数備えている。たとえば、装置外装部１０の前面、右側面、左側面に人感センサ１２を備えている。
これにより、例えば、装置外装部１０の背面（後側）を部屋Ｌの壁側に向けることで、安否確認装置１は、居間等の水平方向におけるほぼ全ての方向を検知しつつ、安否確認装置１による住人の安否の確認の精度を向上することができる。
【００７９】
また、安否確認装置１は、入力指示を受け付ける緊急ボタン１５を備え、制御部１１は、緊急ボタン１５により入力指示があった場合に、通報手段に通報を行わせる。
これにより、安否確認モード処理に加えて、緊急時の通報機能が得られることにより、安否確認装置１による住人の安否の確認の精度を向上することができる。
【００８０】
また、安否確認装置１は、留守番モードへの切替指示を受け付ける切替手段としての検知モード切替ＳＷ１４を備え、制御部１１は、検知モード切替ＳＷ１４による留守番モードへの切替指示がされた時から所定の待ち時間経過後に人感センサ１２に人体検知を開始させ、その開始後に人体検知がされた場合において、固定電話機３２に対して発呼手段であるリンガ信号生成部２２により第２の呼出時間の間発呼させ、第２の呼出時間が経過した場合に、通報手段に通報を行わせる。
これにより、安否確認モード処理に加えて、留守番モード処理による通報機能が得られることにより、安否確認装置１による住人の安否の確認の精度を向上することができる。
【００８１】
また、安否確認装置１は、電話回線（一般公衆回線）に供給されている電源ラインから給電を受けて前記安否確認装置が駆動されている。これにより、前記電話回線に供給されている電源ラインを活用することができる。
【００８２】
また、安否確認装置１にて、人感センサ１２は、焦電型赤外線センサを備えている。
これにより、効率的に人体検知を行うことができる。
【００８３】
なお、本発明は、上記実施の形態に限られるものではなく、様々な変更が可能である。本実施形態では、人感センサ１２として焦電型赤外線センサを用いたが、焦電型以外の赤外線センサでもよく、また、超音波センサ等のように、人感センサから検出波を出射してその反射波の変化により人体検知するセンサでもよい。また、人感センサを装置外装部と分離して別置き可能な形態に構成しても良い。
【００８４】
また、本実施形態では、電話回線に供給されている電源ラインから給電を受けて安否確認装置１を駆動する構成としているが、電話回線に供給されている電源ラインから給電を受けて安否確認装置１を駆動することに加え、別の電源を使用可能に構成されても良い。
【００８５】
本発明の実施形態を説明したが、本発明の範囲は上述の実施の形態に限定するものではなく、特許請求の範囲に記載された発明とその均等の範囲に含まれる。
【符号の説明】
【００８６】
１      安否確認装置
１０    装置外装部（遮蔽手段）
１１    制御部（制御手段、通報手段）
１１２  ＲＯＭ
１２    人感センサ（検知手段）
１２１  マスク部材（遮蔽手段）
１２２  位置調整機構
１２３  カバー部材（遮蔽手段）
１３    モード切替ＳＷ
１４    検知モード切替ＳＷ（切替手段）
１５    緊急ボタン（入力手段）
１６    計測時間設定ＳＷ
１９    ラインＩＦ部（判断手段）
２０    オートダイアラ（通報手段）
２１    音声出力部（通報手段）
２２    リンガ信号生成部（発呼手段）
２３    スピーカ部
２４    電源部
２７    ＥＰＲＯＭ（記憶手段）
３１    電話回線（一般公衆回線）
３２    固定電話機
【図１】
0006371624.tif 000002
【図２】
0006371624.tif 000003
【図３】
0006371624.tif 000004
【図４】
0006371624.tif 000005
【図５】
0006371624.tif 000006
【図６】
0006371624.tif 000007
【図７】
0006371624.tif 000008
【図８】
0006371624.tif 000009
【図９】
0006371624.tif 000010